(57)【要約】【課題】画像読み取りシステムにおいて、画像読み取り装置のコストアップを伴うことなく、複数枚の原稿の画像を迅速に読み取り可能とする。【解決手段】画像読み取り装置は、１枚目の原稿の画像を読み取る前に密着型イメージセンサのキャリブレーションを実行する（＃１）。その後、搬送された原稿が奇数ページであるとき（＃３においてＹＥＳ）、密着型イメージセンサは往方向に移動しながら、画像を読み取り（＃４）、ホームポジションに戻ることなく待機する（＃５）。搬送された原稿が偶数ページであるとき（＃３においてＮＯ）、密着型イメージセンサは復方向に移動しながら画像を読み取る（＃１０）。その後、コンピュータ装置のＣＰＵは、奇数ページの画像データを副走査方向に反転させ、ハードディスク装置に格納する。【選択図】図５
2006246410.tif 000002
【特許請求の範囲】
【請求項１】
原稿が装填される給紙トレイと、この給紙トレイに装填された原稿を原稿台に搬送する第1原稿搬送手段と、この第1原稿搬送手段によって搬送された原稿に対して主走査方向の所定の範囲に光を照射してその反射光を受光しながら副走査方向に移動し、原稿の画像を読み取る密着型画像読み取り手段と、この密着型画像読み取り手段によって読み取られた画像の画像データを送信するための第1通信用インターフェースと、前記密着型画像読み取り手段によって画像データが読み取られた原稿を排紙するための第２原稿搬送手段とを備え、複数枚の原稿を自動的に給排紙して連続的に画像読み取り可能な画像読み取り装置と、
前記第1通信用インターフェースから送信された画像データを受信する第２通信用インターフェースと、この第２通信用インターフェースによって受信された画像データを一時的に記憶する記憶手段と、この記憶手段によって記憶された画像データを格納するハードディスク記録手段と、前記第２通信用インターフェース、記憶手段、ハードディスク記録手段及び画像読み取り装置を制御する制御手段とを備えたコンピュータ装置と、によって構成される画像読み取りシステムにおいて、
前記制御手段は、
給紙トレイに装填された複数枚の原稿の画像を、前記画像読み取り装置に自動的に読み取らせる際に、
前記密着型画像読み取り手段のホームポジションにおいて該密着型画像読み取り手段のキャリブレーションを１回だけ行い、
その後、キャリブレーションを行うことなく、
前記第1原稿搬送手段によって搬送された原稿が奇数ページであるとき、前記密着型画像読み取り手段を往方向に、かつ原稿のサイズよりも大きく移動させて該密着型画像読み取り手段に原稿より広範囲の画像を読み取らせ、この密着型画像読み取り手段をホームポジションに戻すことなく原稿の外側位置で待機させると共に、読み取った画像データを一旦前記記憶手段に記憶させ、この記憶手段に記憶された画像データを原稿サイズにトリミングして前記ハードディスク記録手段に格納させ、
前記第1原稿搬送手段によって搬送された原稿が偶数ページであるとき、原稿の外側位置で待機させた密着型画像読み取り手段を副方向に、かつ原稿のサイズよりも大きく移動させて該密着型画像読み取り手段に原稿より広範囲の画像を読み取らせ、読み取った画像データを一旦前記記憶手段に記憶させ、この記憶手段に記憶された画像データを原稿サイズにトリミングして、さらに副走査方向に反転させて前記ハードディスク記録手段に格納させ、
これにより、給紙トレイに装填された複数枚の原稿の画像を迅速に読み取り可能としたことを特徴とする画像読み取りシステム。
【請求項２】
原稿台に載置された原稿に対して主走査方向の所定の範囲に光を照射してその反射光を受光しながら副走査方向に移動し、原稿の画像を読み取る画像読み取り手段と、この画像読み取り手段によって読み取られた画像の画像データを送信するための第1通信用インターフェースとを備えた画像読み取り装置と、
前記第1通信用インターフェースから送信された画像データを受信する第２通信用インターフェースと、この第２通信用インターフェースによって受信された画像データを一時的に記憶する記憶手段と、この記憶手段によって記憶された画像データを格納するハードディスク記録手段と、前記第２通信用インターフェース、記憶手段、ハードディスク記録手段及び画像読み取り装置を制御する制御手段とを備えたコンピュータ装置と、によって構成される画像読み取りシステムにおいて、
前記制御手段は、
前記第1原稿搬送手段によって搬送された原稿が奇数ページであるとき、前記画像読み取り手段を往方向に移動させて該画像読み取り手段に原稿の画像を読み取らせ、前記記憶手段に記憶されたデータをそのまま前記ハードディスク記録手段に格納させ、
前記第1原稿搬送手段によって搬送された原稿が偶数ページであるとき、前記画像読み取り手段を副方向に移動させて該画像読み取り手段に原稿の画像を読み取らせ、前記記憶手段に記憶されたデータを副走査方向に反転させて前記ハードディスク記録手段に格納させ、
これにより、給紙トレイに装填された複数枚の原稿の画像を迅速に読み取り可能としたことを特徴とする画像読み取りシステム。
【発明の詳細な説明】
【技術分野】
【０００１】
本発明は、画像読み取り装置の原稿台に載置された原稿の画像を読み取って電子データに変換して記録する画像読み取りシステムに関するものである。
【背景技術】
【０００２】
従来から、複写装置においては、スキャンユニットを往方向及び復方向に走査させながら、連続的に原稿の画像を読み取るように構成されたものが知られている（例えば、特許文献１及び特許文献２参照）。
【特許文献１】特開昭６２−２４５７７１号公報
【特許文献２】特開平６−１７８０５３号公報
【発明の開示】
【発明が解決しようとする課題】
【０００３】
しかしながら、上記特許文献1及び特許文献２に示された複写装置においては、スキャンユニットを復方向に走査させながら読み取った画像データを記録紙に画像を形成する前に反転処理する必要があり、そのために複写装置に相応のメモリや処理速度の速いＣＰＵを実装しなければならず、複写装置のコストアップを招来している。従って、このようなコストの嵩む構成は、コンシューマ向けの画像読み取り装置においては不向きとされ、実用化に至っていない。
【０００４】
本発明は、上記課題を解決するためになされたものであり、画像読み取り装置のコストアップを伴うことなく、複数枚の原稿の画像を迅速に読み取り可能とした画像読み取りシステムを提供することを目的とする。
【課題を解決するための手段】
【０００５】
上記目的を達成するために請求項１の発明は、原稿が装填される給紙トレイと、この給紙トレイに装填された原稿を原稿台に搬送する第1原稿搬送手段と、この第1原稿搬送手段によって搬送された原稿に対して主走査方向の所定の範囲に光を照射してその反射光を受光しながら副走査方向に移動し、原稿の画像を読み取る密着型画像読み取り手段と、この密着型画像読み取り手段によって読み取られた画像の画像データを送信するための第1通信用インターフェースと、密着型画像読み取り手段によって画像データが読み取られた原稿を排紙するための第２原稿搬送手段とを備え、複数枚の原稿を自動的に給排紙して連続的に画像読み取り可能な画像読み取り装置と、第1通信用インターフェースから送信された画像データを受信する第２通信用インターフェースと、この第２通信用インターフェースによって受信された画像データを一時的に記憶する記憶手段と、この記憶手段によって記憶された画像データを格納するハードディスク記録手段と、第２通信用インターフェース、記憶手段、ハードディスク記録手段及び画像読み取り装置を制御する制御手段とを備えたコンピュータ装置と、によって構成される画像読み取りシステムにおいて、制御手段は、給紙トレイに装填された複数枚の原稿の画像を、画像読み取り装置に自動的に読み取らせる際に、密着型画像読み取り手段のホームポジションにおいて該密着型画像読み取り手段のキャリブレーションを１回だけ行い、その後、キャリブレーションを行うことなく、第1原稿搬送手段によって搬送された原稿が奇数ページであるとき、密着型画像読み取り手段を往方向に、かつ原稿のサイズよりも大きく移動させて該密着型画像読み取り手段に原稿より広範囲の画像を読み取らせ、この密着型画像読み取り手段をホームポジションに戻すことなく原稿の外側位置で待機させると共に、読み取った画像データを一旦記憶手段に記憶させ、この記憶手段に記憶された画像データを原稿サイズにトリミングしてハードディスク記録手段に格納させ、第1原稿搬送手段によって搬送された原稿が偶数ページであるとき、原稿の外側位置で待機させた密着型画像読み取り手段を副方向に、かつ原稿のサイズよりも大きく移動させて該密着型画像読み取り手段に原稿より広範囲の画像を読み取らせ、読み取った画像データを一旦記憶手段に記憶させ、この記憶手段に記憶された画像データを原稿サイズにトリミングして、さらに副走査方向に反転させてハードディスク記録手段に格納させ、これにより、給紙トレイに装填された複数枚の原稿の画像を迅速に読み取り可能としたものである。
【０００６】
請求項２の発明は、原稿台に載置された原稿に対して主走査方向の所定の範囲に光を照射してその反射光を受光しながら副走査方向に移動し、原稿の画像を読み取る画像読み取り手段と、この画像読み取り手段によって読み取られた画像の画像データを送信するための第1通信用インターフェースとを備えた画像読み取り装置と、第1通信用インターフェースから送信された画像データを受信する第２通信用インターフェースと、この第２通信用インターフェースによって受信された画像データを一時的に記憶する記憶手段と、この記憶手段によって記憶された画像データを格納するハードディスク記録手段と、第２通信用インターフェース、記憶手段、ハードディスク記録手段及び画像読み取り装置を制御する制御手段とを備えたコンピュータ装置と、によって構成される画像読み取りシステムにおいて、制御手段は、第1原稿搬送手段によって搬送された原稿が奇数ページであるとき、画像読み取り手段を往方向に移動させて該画像読み取り手段に原稿の画像を読み取らせ、記憶手段に記憶されたデータをそのままハードディスク記録手段に格納させ、第1原稿搬送手段によって搬送された原稿が偶数ページであるとき、画像読み取り手段を副方向に移動させて該画像読み取り手段に原稿の画像を読み取らせ、記憶手段に記憶されたデータを副走査方向に反転させてハードディスク記録手段に格納させ、これにより、給紙トレイに装填された複数枚の原稿の画像を迅速に読み取り可能としたものである。
【発明の効果】
【０００７】
請求項１の発明によれば、制御手段は、複数枚の原稿の画像を画像読み取り装置に自動的に読み取らせる際に、密着型画像読み取り手段のキャリブレーションを１回だけ行い、その後、キャリブレーションを行うことなく、密着型画像読み取り手段を往方向及び復方向に移動させて、該密着型画像読み取り手段に奇数ページ及び偶数ページの画像を連続的に読み取らせる。これにより、各ページの画像を読み取った後、密着型画像読み取り手段をホームポジションに復帰させることなく、次のページの画像の読み取りを開始することができるので、複数枚の原稿の画像を迅速に読み取り可能となる。また、２ページ目以降のページの画像を読み取る前に、密着型画像読み取り手段のキャリブレーションを実行しないので、直ちに次のページの画像の読み取りを開始することができる。これにより、従来品と画像読み取り速度等が同等の密着型画像読み取り手段を用いながらも、単位時間に読み取り可能な原稿の枚数を増加させることができる。また、画像データを反転処理するための構成である処理能力の高い制御手段及び大容量の記憶手段は、一般的なコンピュータ装置に備えられているものを適用するので、画像読み取り装置のコストアップを伴うこともない。また、原稿より広範囲の画像を密着型画像読み取り手段に読み取らせて、その画像データを一旦記憶手段に記憶させた後、原稿サイズに合わせてトリミングするので、原稿が第1原稿搬送手段によって原稿台の所定の位置に搬送されなかった場合であっても、適正にトリミングされた画像データを得ることができる。
【０００８】
請求項２の発明によれば、制御手段は、複数枚の原稿の画像を画像読み取り装置に自動的に読み取らせる際に、密着型画像読み取り手段を往方向及び復方向に移動させて、該密着型画像読み取り手段に奇数ページ及び偶数ページの画像を連続的に読み取らせる。これにより、各ページの画像を読み取った後、密着型画像読み取り手段をホームポジションに復帰させることなく、次のページの画像の読み取りを開始することができるので、複数枚の原稿の画像を迅速に読み取り可能となる。
【発明を実施するための最良の形態】
【０００９】
本発明の実施形態による画像読み取りシステムについて図面を参照して説明する。図１は画像読み取りシステムを示している。画像読み取りシステム１は、インターフェースケーブル２によって相互に接続された画像読み取り装置３と、コンピュータ装置２０等によって構成されている。画像読み取り装置３は、原稿台４に密着するように載置された原稿５に光を照射してその反射光を電気信号に変換することにより原稿の画像を読み取る密着型イメージセンサ（密着型画像読み取り手段）６を備えた、いわゆるＣＩＳイメージスキャナである。
【００１０】
画像読み取り装置３は、原稿５が装填される給紙トレイ７と、給紙トレイ７に装填された原稿５を原稿台４に搬送すると共に、画像データが読み取られた原稿５を排紙するための原稿搬送機構（第1原稿搬送手段、第２原稿搬送手段）８と、原稿搬送機構８によって搬送された原稿５の画像を読み取る密着型イメージセンサ６と、密着型イメージセンサ６を副走査方向Ｂに駆動するイメージセンサ駆動機構９と、密着型イメージセンサ６によって読み取られた画像の画像データを記憶するメモリ１０と、メモリ１０に記憶された画像データをコンピュータ装置２０に送信するための第1通信用インターフェース１１と、各部の制御を司るＣＰＵ１２等を有している。給紙トレイ７、原稿搬送機構８は、原稿台４を覆うカバー部材１３の側に設けられており、密着型イメージセンサ６、イメージセンサ駆動機構９、メモリ１０、第1通信用インターフェース１１、及びＣＰＵ１２は、画像読み取り装置３の本体１４の側に設けられている。
【００１１】
原稿搬送機構８は、給紙トレイ７に装填されている原稿５を送り出す搬送ローラ１５と、搬送ベルト１７を駆動するための駆動ローラ１６と、搬送ローラ１５によって送り出された原稿５を原稿台４まで搬送すると共に、画像データが読み取られた原稿５を排紙トレイ１８に搬送するための搬送ベルト１７等によって構成されている。密着型イメージセンサ６は、原稿搬送機構８によって搬送されて原稿台４に載置された原稿５の主走査方向Ａ（図２参照）の所定の範囲に光を照射してその反射光を受光しながら副走査方向Ｂに移動し、原稿５の画像を読み取って電子的な画像データに変換する。原稿搬送機構８、密着型イメージセンサ６、イメージセンサ駆動機構９の動作が同期するようにＣＰＵ１２が各部を制御することにより、画像読み取り装置３は、給紙トレイ７に装填された原稿５の画像を自動的に読み取ることができる。
【００１２】
コンピュータ装置２０は、第1通信用インターフェース１１から送信された画像データを受信する第２通信用インターフェース２１と、第２通信用インターフェース２１によって受信された画像データを一時的に記憶するメモリ（記憶手段）２２と、メモリ２２によって記憶された画像データを格納するハードディスク装置（ハードディスク記録手段）２３と、第２通信用インターフェース２１、メモリ２２、ハードディスク装置２３及び画像読み取り装置３を制御するＣＰＵ(制御手段)２４と等を有している。
【００１３】
図２は、複数枚の原稿５を自動的に給排紙し、その画像を連続的に読み取る際の密着型イメージセンサ６の移動の様子を示している。密着型イメージセンサ６は、１枚目の原稿を読み取る前に、原稿台４の外側に設定されているホームポジション２６においてキャリブレーションを行う。その後、密着型イメージセンサ６は、往方向Ｂ１に移動しながら奇数ページの画像を読み取り、復方向Ｂ２に移動しながら偶数ページの画像を読み取る。1度画像の読み取りを開始した後は、キャリブレーションは実行しない。
【００１４】
図３は、奇数ページの原稿５ａが読み取られる様子を示している。原稿５が奇数ページの場合は、（ａ）に示すように、密着型イメージセンサ６は往方向Ｂ１に移動され、１ラインずつ画像が読み取られていく。既に述べたように、原稿５は原稿搬送機構８によって搬送されるため、原稿５と原稿台４及び搬送ベルト１７との摩擦力が一定に分布せず、その結果、原稿台４に対して若干斜めに傾いた姿勢で搬送されることもある。また、原稿台４の端縁と原稿５の端縁が一致しない場合もある。そこで、（ｂ）に示すように、画像読み取り装置３は、密着型イメージセンサ６によって原稿５ａより広範囲の画像を読み取らせ、その画像データ３０をメモリ１０等に記憶させ、その後コンピュータ装置２０に送出した後、適正なサイズにトリミングできるように構成されている。メモリ１０に記憶された画像データ３０は、第1通信用インターフェース１１、インターフェースケーブル２、第２通信用インターフェース２１を順次介してコンピュータ装置２０のメモリ２２に記憶される。そしてコンピュータ装置２０のＣＰＵ２４は、メモリ２２に記憶されている画像データ３０をトリミングして原稿サイズの画像データ３５（（ｃ）参照）を得る。このとき、斜めに傾いて読み取られていた画像データ３０は、適正な向きに矯正される。なお、画像データ３０のトリミングは、例えば、密着型イメージセンサ６によって読み取った画像データ３０のうち、原稿５に相当する部分３１と搬送ベルト１７に相当する部分３２のトーン差等に基いてなされる。
【００１５】
図４は、偶数ページの原稿５ｂが読み取られる様子を示している。原稿５が偶数ページの場合は、（ａ）に示すように、密着型イメージセンサ６は復方向Ｂ２に移動され、１ラインずつ画像が読み取られていく。このとき、密着型イメージセンサ６が通常の往方向Ｂ１とは逆の復方向Ｂ２であるため、（ｂ）に示すように、密着型イメージセンサ６の副走査方向Ｂに反転した画像データ４０がコンピュータ装置２０のメモリ２２に記憶される。そこでコンピュータ装置２０のＣＰＵ２４は、（ｃ）に示すように、メモリ２２に記憶されている画像データ４０をトリミングする際に、さらに、画像データ４０を副走査方向Ｂに反転させて、原稿５に対応した画像データ４５を得るようにしている。
【００１６】
次に、複数枚の原稿５の画像を自動的に読み取って画像データを取得する手順について、フローチャートに基いて説明する。ユーザによってコンピュータ装置２０に指令が入力されると、まず画像読み取り装置３が、密着型イメージセンサ６のキャリブレーションを実行する（＃１）。このとき、密着型イメージセンサ６はホームポジション２６に位置されている。密着型イメージセンサ６のキャリブレーションが完了すると、原稿搬送機構８が原稿５を原稿台４に搬送する（＃２）。このとき、搬送された原稿５が奇数ページであるとき（＃３においてＹＥＳ）、イメージセンサ駆動機構９は密着型イメージセンサ６を往方向Ｂ１に駆動し、密着型イメージセンサ６は原稿５の画像を読み取り（＃４）、ホームポジション２６に戻ることなく、原稿５の端縁の外側で待機する（＃５）。そして密着型イメージセンサ６によって読み取られた画像データ３０は、メモリ１０に記憶された後、インターフェースケーブル２を介してコンピュータ装置２０に送信され、メモリ２２に記憶される（＃６）。その後、コンピュータ装置２０のＣＰＵ２４は、メモリ２２に記憶されている画像データ３０を原稿サイズに合わせてトリミングすることにより画像データ３５を生成してハードディスク装置２３に格納する（＃７）。一方、原稿搬送機構８は、画像の読み取りが終了した原稿５を排紙トレイ１８に搬送する（＃８）。そして、給紙トレイ７に次の原稿５が存在すれば（＃９においてＹＥＳ）、＃２に戻る。
【００１７】
＃２において搬送された原稿５が偶数ページであるとき（＃３においてＮＯ）、イメージセンサ駆動機構９は密着型イメージセンサ６を復方向Ｂ２に駆動し、密着型イメージセンサ６は原稿５の画像を読み取り（＃１０）、ホームポジション２６に戻ることなく、原稿５の端縁の外側で待機する（＃１１）。そして密着型イメージセンサ６によって読み取られた画像データ４０は、＃６と同様にメモリ２２に記憶される（＃１２）。その後、コンピュータ装置２０のＣＰＵ２４は、メモリ２２に記憶されている画像データ４０を原稿サイズに合わせてトリミングして、さらに副走査方向に反転させることにより、画像データ４５を生成してハードディスク装置２３に格納し（＃１３）、＃８に移行する。そして、給紙トレイ７に次の原稿５が存在しなくなれば（＃９においてＮＯ）、処理を終了する。
【００１８】
以上のように、本実施形態の画像読み取りシステム１によれば、ＣＰＵ２４は、複数枚の原稿５の画像を画像読み取り装置３に自動的に読み取らせる際に、密着型イメージセンサ６のキャリブレーションを１回だけ行い、その後、キャリブレーションを行うことなく、密着型イメージセンサ６を往方向Ｂ１及び復方向Ｂ２に移動させて、密着型イメージセンサ６に奇数ページ及び偶数ページの画像を連続的に読み取らせる。これにより、各ページの画像を読み取った後、密着型イメージセンサ６をホームポジション２６に復帰させることなく、次のページの画像の読み取りを開始することができるので、複数枚の原稿５の画像を迅速に読み取り可能となる。また、２ページ目以降のページの画像を読み取る前に、密着型イメージセンサ６のキャリブレーションを実行しないので、直ちに次のページの画像の読み取りを開始することができる。これにより、従来品と画像読み取り速度等が同等の密着型イメージセンサ６を用いながらも、単位時間に読み取り可能な原稿の枚数を増加させることができる。また、画像データ３０、４０を反転処理するための構成である処理能力の高いＣＰＵ２４及び大容量のメモリ２２は、一般的なコンピュータ装置２０に備えられているものを適用するので、画像読み取り装置３のコストアップを伴うこともない。また、原稿５より広範囲の画像を密着型イメージセンサ６に読み取らせて、その画像データ３０、４０を一旦メモリ２２に記憶させた後、原稿サイズに合わせてトリミングして画像データ３５、４５を生成するので、原稿が原稿搬送機構８によって原稿台４の所定の位置に搬送されなかった場合であっても、適正にトリミングされた画像データ３５、４５を得ることができる。
【００１９】
なお、本発明は、上記実施形態の構成に限られることなく、少なくとも原稿５が奇数ページであるとき、密着型イメージセンサ６を往方向Ｂ１に移動させて画像を読み取らせ、その画像データをそのままハードディスク装置２３に格納し、原稿５が偶数ページであるとき、密着型イメージセンサ６を復方向Ｂ２に移動させて画像を読み取らせ、その画像データを副走査方向に反転させてハードディスク装置２３に格納するように構成されていればよい。従って、原稿搬送機構８を排して、ユーザが手動で原稿５を原稿台４に載置するような構成であってもよい。また、密着型イメージセンサ６による画像の読み取り範囲は、ユーザが任意に設定できるようにしてもよい。さらに、密着型イメージセンサ６に替えて、ＣＣＤ（Charge Coupled Device)、レンズ等によって構成される縮小光学系のイメージセンサを用いるようにしても構わない。
【図面の簡単な説明】
【００２０】
【図１】本発明の一実施形態による画像読み取りシステムの構成を示すブロック図。
【図２】複数枚の原稿を自動的に給排紙し、その画像を連続的に読み取る際の密着型イメージセンサの移動の様子を示す平面図。
【図３】(ａ)は奇数ページの原稿が密着型イメージセンサによって読み取られる様子、(ｂ)はその画像データ、(ｃ)はハードディスク装置に格納される画像データを示す図。
【図４】(ａ)は偶数ページの原稿が密着型イメージセンサによって読み取られる様子、(ｂ)はその画像データ、(ｃ)はハードディスク装置に格納される画像データを示す図。
【図５】複数枚の原稿の画像を自動的に読み取って画像データを取得する手順を示すフローチャート。
【符号の説明】
【００２１】
１    画像読み取りシステム
３    画像読み取り装置
４    原稿台
５    原稿
６    密着型イメージセンサ（密着型画像読み取り手段）
７    給紙トレイ
８    原稿搬送機構（第1原稿搬送手段、第２原稿搬送手段）
１１    第1通信用インターフェース
２０    コンピュータ装置
２１    第２通信用インターフェース
２２    メモリ（記憶手段）
２３    ハードディスク装置（ハードディスク記録手段）
２４    ＣＰＵ
【図１】
2006246410.tif 000003
【図２】
2006246410.tif 000004
【図３】
2006246410.tif 000005
【図４】
2006246410.tif 000006
【図５】
2006246410.tif 000007